(57)【要約】【課題】  ショットする度にボールをセットしなければならないという手間を省くと共に、ショット時のボールの弾道を知ることができるようにする。【解決手段】  床面Ｆ．Ｌ．に設置されたプレート２には柱部材３が立設されており、該柱部材３の上部からは枝状部材１４が略水平に延設され、該枝状部材１４には、リング状部材５及び紐部材６を介してゴルフボール７が吊り下げられている。この枝状部材１４は窪み部１４ａを有していて、リング状部材５をその位置に保持するように構成されている。したがって、ショット後のボール７は重力で自然に元の位置に戻るので、ボールのセットの手間を省いて、ショット練習を連続的に行うことができる。また、ショット時のボール７やリング状部材５の挙動によりボール７の弾道を知ることができる。【選択図】          図２
2006239088.tif 000002
【特許請求の範囲】
【請求項１】
床に設置される基体と、
該基体から立設された柱部材と、
該柱部材から略水平に突出されると共に高さ調整可能に構成された枝状部材と、
該枝状部材に遊嵌されたリング状部材と、
該リング状部材に連結されることにより該枝状部材から吊り下げられた第１紐部材と、
該第１紐部材の下端部分に取り付けられたボールと、
からなるゴルフ練習用具。
【請求項２】
前記枝状部材は、前記リング状部材を保持するための、部分的に下方に窪んだ窪み部を有する、
ことを特徴とする請求項１に記載のゴルフ練習用具。
【請求項３】
前記窪み部に隣接される部分は、該窪み部から離れる方向に上り勾配となる傾斜部である、
ことを特徴とする請求項２に記載のゴルフ練習用具。
【請求項４】
前記傾斜部は、前記ボールがショットされたときに前記第１紐部材を介して伝達される力により前記リング状部材が上ることができる程度の勾配である、
ことを特徴とする請求項３に記載のゴルフ練習用具。
【請求項５】
前記基体上に載置可能なマットと、
該マットに対して接離可能となるように、該マットに第２紐部材を介して連結されたティーと、
を有することを特徴とする請求項１乃至４のいずれか１項に記載のゴルフ練習用具。
【発明の詳細な説明】
【技術分野】
【０００１】
本発明は、ショットの練習を連続して行うことのできるゴルフ練習用具に関する。
【背景技術】
【０００２】
従来、ショットの練習を行うためのゴルフ練習用具としては、マットにゴルフボールを紐で連結したものが提案されている（例えば、特許文献１及び２参照）。
【０００３】
また、インパクトの練習を行うようにしたゴルフ練習用具も、種々の構造のものが市販されている。
【特許文献１】特開２０００−７０４２７号公報
【特許文献２】特開２００１−１２９１４３号公報
【発明の開示】
【発明が解決しようとする課題】
【０００４】
しかしながら、上述のように、ボールをマットに紐で連結したようなゴルフ練習用具の場合、ショットする度にボールを元の位置にセットし直さなければならず、その手間が面倒であった。また、インパクトの練習のためのものでは、ボールの弾道までは知ることはできなかった。
【０００５】
そこで、本発明は、ボールのセットの手間を軽減すると共にボールの弾道を知ることができるようにしたゴルフ練習用具を提供することを目的とするものである。
【課題を解決するための手段】
【０００６】
請求項１に係る発明は、図１及び図２に例示するものであって、床（図２の符号Ｆ．Ｌ．参照）に設置される基体（２）と、該基体（２）から立設された柱部材（３）と、該柱部材（３）から略水平に突出されると共に高さ調整可能に構成された枝状部材（４，１４）と、該枝状部材（４，１４）に遊嵌されたリング状部材（５）と、該リング状部材（５）に連結されることにより該枝状部材（４，１４）から吊り下げられた第１紐部材（６）と、該第１紐部材（６）の下端部分に取り付けられたボール（７）と、からなるゴルフ練習用具（１，１１）についてのものである。
【０００７】
請求項２に係る発明は、請求項１に係る発明において、前記枝状部材（１４）が、前記リング状部材（５）を保持するための、部分的に下方に窪んだ窪み部（１４ａ）を有する、ことを特徴とする。
【０００８】
請求項３に係る発明は、請求項２に係る発明において、前記窪み部に隣接される部分（１４ｂ１，１４ｂ２）は、該窪み部（１４ａ）から離れる方向に上り勾配となる傾斜部である、ことを特徴とする。
【０００９】
請求項４に係る発明は、請求項３に係る発明において、前記傾斜部（１４ｂ１，１４ｂ２）が、前記ボール（７）がショットされたときに前記第１紐部材（６）を介して伝達される力により前記リング状部材（５）が上ることができる程度の勾配である、ことを特徴とする。
【００１０】
請求項５に係る発明は、請求項１乃至４のいずれか１項に記載の発明において、前記基体（２）上に載置可能なマット（８）と、該マット（８）に対して接離可能となるように、該マット（８）に第２紐部材（図３の符号９参照）を介して連結されたティー（同図の符号Ｔ１，Ｔ２参照）と、を有することを特徴とする。
【００１１】
なお、括弧内の符号等は発明の理解のために付した便宜的なものに過ぎず、本発明を何ら限定するものではない。
【発明の効果】
【００１２】
請求項１に係る発明によれば、ショットをしてもボールは第１紐部材に吊り下げられた位置（つまり、リング状部材の直下の位置）に戻ってくるので、ショットをする度にボールをセットし直すという手間を省くことができる。また、インパクトの練習だけでなく、ショット時のボールの弾道を知ることができる。例えば、ショット時における前記リング状部材のズレ位置（枝状部材の長手方向に対するズレ位置）によりボールの弾道を知ることができる。
【００１３】
請求項２に係る発明によれば、枝状部材にはリング状部材を保持するための窪み部が形成されているので、ショット後のボールの位置が、該窪み部の下方位置にほぼ限定されることとなり、（リング状部材が窪み部から外れてしまっている場合には手を伸ばしてリング状部材を窪み部にセットし直すだけでよく、リング状部材が窪み部から外れていない場合にはそのセット作業も不要となるので）ショット後のボールのセット作業をさらに簡略化することができる。
【００１４】
請求項３及び４に係る発明によれば、前記窪み部に隣接される部分は、該窪み部から離れる方向に上り勾配となる傾斜部であるため、ショット時における前記リング状部材の上り度合いによりショットの良し悪しを正確に判別できる。
【００１５】
請求項５に係る発明によれば、ティーは第２紐部材を介してマットに連結されているので、ショットによりティーがマットから遠く離れた位置まで飛ばされてしまうことを回避でき、ティーのセットの手間を低減することができる。また、該ティーはマットに接離可能に構成されているので、ショットされるボールの弾道がティーにより変えられてしまうことはなく、より実戦的なゴルフ練習を行うことができる。
【発明を実施するための最良の形態】
【００１６】
以下、図１乃至図３を参照して、本発明の実施の形態について説明する。ここで、図１は、本発明に係るゴルフ練習用具の構造についての一例を示す斜視図であり、図２は、本発明に係るゴルフ練習用具の構造についての他の例を示す正面図である。また、図３(a) は、マット及びティーの詳細構造についての一例を示す斜視図であり、同図(b) は、マット及びティーの詳細構造についての他の例を示す斜視図である。
【００１７】
本発明に係るゴルフ練習用具は、図１に符号１で例示する構造のものであって、床等に設置される基体２と、該基体２から立設された柱部材３と、該柱部材３から略水平に突出されると共に高さ調整可能に構成された枝状部材（梁部材）４と、該枝状部材４に遊嵌されたリング状部材５と、該リング状部材５に連結されることにより該枝状部材から吊り下げられた第１紐部材６と、該第１紐部材５の下端部分（最下端だけを意味するのでなく、最下端近傍も含む意である。）に取り付けられたボール７と、により構成されている。このようなゴルフ練習用具において、ボール７が不図示のゴルフクラブでショットされると、該ボール７は、リング状部材５及び第１紐部材６と共に、前記枝状部材４の周りを回転することとなる。
【００１８】
ところで、本発明においては、枝状部材４を高さ調整可能に構成しているが、図１に示す高さ調整機構は以下のような構成である。すなわち、太径パイプ状の下側柱部材３０と、該下側柱部材３０に移動可能な状態で挿入される細径パイプ状の上側柱部材３１と、により柱部材３を構成し、該下側柱部材３０は、上述した基体２に植設し、該上側部材３１には前記枝状部材４を取り付けている。そして、これらの上側柱部材３１と下側柱部材３０との間には、前記上側柱部材３１の移動を許容したり規制したりするための係止部材３２（図では、締め付け可能なネジ部材）を介装し、該係止部材３２により前記枝状部材４の高さ調整を行えるように構成している。なお、このときの上側柱部材３１の高さ調整は無段階で行うようにしておいても、段階的に行うようにしておいても良い。また、枝状部材４の高さ調整機構は図１に示す構成のものに限られない。例えば、柱部材３の側に高さ調整機構を設けるのではなく（つまり、上下に移動するような上側柱部材３１やその移動調整のための係止部材３２は設けずに、長さ調整が出来ないような構造の柱部材だけを植設しておいて）、枝状部材自体をその柱部材に対して上下にスライド自在な構成にするようにしても良い。
【００１９】
本発明に係るゴルフ練習用具においては、第１紐部材６の長さを変更できるようにしておいて、上述のように枝状部材４の高さを変更した場合でも該第１紐部材６がピンと張った状態となるように構成すると良い。そのための具体的方法としては、リング状部材５、第１紐部材６及びボール７からなるセット（第１紐部材６の長さが異なるセット）を何種類か用意しておいて、上述のように枝状部材４の高さを変更した場合には別のセットと交換できるようにする方法を挙げることができる。例えば、ゴルフクラブの長さ(ショートアイアン、ミドルアイアン、ロングアイアン、ドライバー等)に応じて、第１紐部材６の長さの異なる複数のセットを用意しておいて、使用するゴルフクラブに応じて前記枝状部材４の高さ調整とセットの交換とを行うようにすると良い。これにより、ショートアイアン、ミドルアイアン、ロングアイアン、ドライバーと  さまざまのクラブを使ってのスウィングの練習を最適な状態ですることができる。なお、第１紐部材６の長さを変更する別の方法としては、上述のようにセットを何種類か用意するのではなく、第１紐部材自体に長さ調整機構を設けておいて、その機構により第１紐部材の長さ調整をする方法を挙げることができる。
【００２０】
なお、図１等に示すリング状部材５はドーナッツ状をしているが、枝状部材４の周りを回転する形状であれば、他の形状でも良い。例えば、楕円等、円以外の形状のリングであっても良い。
【００２１】
図１に示す枝状部材４は真っ直ぐな棒であるため、該部材４には、前記リング状部材５の抜け止め機構を設けておく必要がある。例えば、図１に符号４ａで示すような大径（正確には、リング状部材５の内径よりも若干小さな外径）のフランジ部を設けておいて、リング状部材５が枝状部材４から抜けにくいように構成しておくと良い。
【００２２】
ところで、図１に示す枝状部材４は真っ直ぐに延設されたものであるが、図２に符号１４で示すように、前記リング状部材５を保持するための窪み部（部分的に下方に窪んだ部分）１４ａを有するようにしても良い。さらには、該窪み部１４ａに隣接される部分（つまり、該窪み部１４ａの両外側部分）は、垂直に折り曲げるのではなく、該窪み部１４ａから離れる方向に上り勾配となる傾斜部（符号１４ｂ１，１４ｂ２参照）としても良い。なお、以下の説明において各傾斜部１４ｂ１，１４ｂ２を相互に区別する必要がある場合にはそれぞれを"第１傾斜部１４ｂ１""第２傾斜部１４ｂ２"と称することとする。また、各傾斜部１４ｂ１，１４ｂ２に隣接される部分（窪み部１４ａとは反対側の部分であって、符号１４ｃ１，１４ｃ２で示す部分）は窪み部１４ａよりも高く形成されるが、それらの部分を適宜"第１堰部１４ｃ１""第２堰部１４ｃ２"と称することとする。
【００２３】
本発明においては、上述した第１傾斜部１４ｂ１及び第２傾斜部１４ｂ２は、前記ボール７がショットされたときに前記第１紐部材６を介して伝達される力により前記リング状部材５が上ることができる程度の勾配にしておくと良い。具体的には、下記(i) のようにリング状部材５が傾斜部を上り切る態様と、下記(ii)のようにリング状部材５が傾斜部を上り切れずに窪み部１４ａに戻ってくる態様とがある。
(i)   各傾斜部１４ｂ１，１４ｂ２の傾斜角（仰角）を比較的小さく、しかも、窪み部１４ａと第１堰部１４ｃ１及び第２堰部１４ｃ２との高低差を比較的少なく設定しておく態様。そのような態様では、良いインパクト（打撃）の場合にはリング状部材５は窪み部１４ａから外れることはないものの、斜め方向に打撃をした場合のように良くないインパクト（打撃）の場合には、リング状部材５は窪み部１４ａから外れて第１堰部１４ｃ１や第２堰部１４ｃ２に移動してしまうので、それにより、打撃の良し悪しを判別することができる。
(ii)  インパクトが悪くても、上述のようにリング状部材５が第１堰部１４ｃ１や第２堰部１４ｃ２にまで移動してしまわないように、各傾斜部１４ｂ１，１４ｂ２の傾斜角、窪み部１４ａと第１堰部１４ｃ１及び第２堰部１４ｃ２との高低差を大きめに設定しておく態様。この場合、インパクト（打撃）が悪くても、ボール７は必ず適正位置に戻るので、ボール７を初期位置に戻すという手間を省略することができる。
【００２４】
なお、上記(i) の態様（つまり、各傾斜部１４ｂ１，１４ｂ２の傾斜角を比較的小さく、しかも、窪み部１４ａと第１堰部１４ｃ１及び第２堰部１４ｃ２との高低差を比較的少なく設定しておく態様）でも、窪み部１４ａを水平方向に延設してその長さ（つまり、区間長）を十分に長く取れば、多少、斜め方向に打撃をしてもリング状部材５が窪み部１４ａから外れない。逆に、窪み部１４ａの長さが短いほどリング状部材５が窪み部１４ａから外れやすくなる。本発明者が実験により確認したところ、窪み部１４ａの長さは大体５ｃｍ程度が適切であるという結論に達した。窪み部１４ａの長さが５ｃｍよりも長いと上述のようにリング状部材５は窪み部１４ａから外れずに打撃の良し悪しの判別に支障が出るし、５ｃｍよりも短いと、インパクトに少し失敗しただけでリング状部材５が窪み部１４ａから容易に外れてしまうからである。また、本発明者が実験したところによると、各傾斜部１４ｂ１，１４ｂ２の傾斜角は４５度位が最適であることが分った。該傾斜角を４５度よりも小さくするとリング状部材５が窪み部１４ａから外れ易くなる傾向にあり、傾斜角を４５度よりも大きくするとリング状部材５が窪み部１４ａから外れにくくなり、打撃の良し悪しの判別が難しくなるからである。なお、これらの数値はあくまでも最適値を示すだけに過ぎないものであって、請求項１乃至５に記載の発明を狭く限定する主旨ではない。
【００２５】
ところで、上記(i) の態様では、第１傾斜部１４ｂ１の傾斜角が小さ過ぎると、第１紐部材６が第１堰部１４ｃ１に移動して枝状部材１４から抜け出てしまうおそれもある。これを回避する方法としては、
(i-1)  （第１傾斜部１４ｂ１及び第２傾斜部１４ｂ２の傾斜角を同じにしたままで）第１堰部１４ｃ１の高さを第２堰部１４ｃ２よりも高く設定しておく方法
(i-2)  第１傾斜部１４ｂ１の傾斜角を、第２傾斜部１４ｂ２の傾斜角よりも若干大きく設定しておく方法、
(i-3)  （第１堰部１４ｃ１の高さを高くしたり、第１傾斜部１４ｂ１の傾斜角を大きくしたりするのではなく）該第１堰部１４ｃ１の長さを長くしたり、図１に符号４ａで示すようなフランジ部を該第１堰部１４ｃ１に設けたりする方法
を挙げることができる。これらの方法は、単独で、又は組み合わせて用いると良い。さらには、図示はしないが、窪み部１４ａと第１堰部１４ｃ１との間、及び窪み部１４ａと第２堰部１４ｃ２との間をそれぞれ階段状にとして、複数の段部を設けるようにしても良い。そのようにした場合には、ショットの悪さを、ショット後のリング状部材５のズレ位置を通じて、より的確に判別することができる。
【００２６】
なお、当然のことながら、上述した枝状部材４，１４の下方には、ゴルフクラブ（不図示）をスウィングするための空間が形成される必要があることから、上述した枝状部材４，１４は、柱部材３により支持された片持ち梁構造にすると良い。また、上述した基体２は、床面からあまり突出しない程度の薄板（例えば、剛性に富んだ鋼製プレート）にしておくと良く、その上面にはマット８を載置できるようにしておくと良い。
【００２７】
ところで、図３(a) に詳示するように、上述したマット８に第２紐部材９を介してティーＴ１を連結し、このティーＴ１はマット８に固定するのではなく接離可能（つまり、ボール７をショットしたときの衝撃でマット８から容易に離脱する状態）となるようにしておくと良い。このティーも複数種類の形状を用意しておくと良い。例えば、アイアンショットをする場合は、図３(b) に符号Ｔ２で示すような平らな形状のティーを使用するようにすると良い。この場合の"平らな形状のティー"は、マットと同じ材質とし、厚さは１ｃｍ程度とし、ボール７とほぼ同じ径の円板形状にすると良い。このティーＴ２も、マット８に固定するのではなく接離自在に構成し、第２紐部材９でマット８に連結しておくと良い。そのようにすることにより、ショットされるボール７の軌道がティーＴ１，Ｔ２により変えられてしまうことはなく、より実戦的なゴルフ練習を行うことができる。
【図面の簡単な説明】
【００２８】
【図１】本発明に係るゴルフ練習用具の構造についての一例を示す斜視図。
【図２】本発明に係るゴルフ練習用具の構造についての他の例を示す正面図。
【図３】(a) は、マット及びティーの詳細構造についての一例を示す斜視図であり、(b) は、マット及びティーの詳細構造についての他の例を示す斜視図。
【符号の説明】
【００２９】
１          ゴルフ練習用具
２          基体
３          柱部材
４          枝状部材
５          リング状部材
６          第１紐部材
７          ボール
８          マット
９          第２紐部材
１１        ゴルフ練習用具
１４        枝状部材
１４ａ      窪み部
１４ｂ１，１４ｂ２    傾斜部
Ｆ．Ｌ．    床
Ｔ１，Ｔ２  ティー
【図１】
2006239088.tif 000003
【図２】
2006239088.tif 000004
【図３】
2006239088.tif 000005